(57)【要約】【課題】一時的に吸引ファンの吸引能力を超えた大量の水蒸気や煙、油煙等が発生した状況においても、当該水蒸気等をフード部の外側に流出させることなく効果的に捕集することができるレンジフードを提供する。【解決手段】本発明のレンジフード１は、吸引ファン１２を内部に備えた排気ダクト部１０と、開口２１を下方に向けて排気ダクト部１０に接続されたフード部２０と、フード部２０の開口２１に配置された整流板３０と、を有するレンジフード１であって、整流板３０が、フード部２０の開口２１に該フード部２０の内周縁に対して間隔を空けて配置された主整流板３１と、主整流板３１よりも面積が狭く形成され、フード部２０の開口２１に主整流板３１に対して上側にずれるとともに該主整流板３１に対して上下に重複せずに配置された補助整流板３２と、を有することを特徴とする。【選択図】図２
2017090006.tif 000002
【特許請求の範囲】
【請求項１】
吸引ファンを内部に備えた排気ダクト部と、略矩形の開口を有する扁平形状に形成されて該開口を下方に向けて前記排気ダクト部に接続されたフード部と、前記フード部の開口に配置された整流板と、を有するレンジフードであって、
前記整流板が、
前記フード部の開口に該フード部の内周縁に対して間隔を空けて配置された主整流板と、
前記主整流板よりも面積が小さく形成され、前記フード部の開口に前記主整流板に対して上側にずれるとともに該主整流板に対して上下に重複せずに配置された補助整流板と、を有することを特徴とするレンジフード。
【請求項２】
前記主整流板と前記補助整流板とが、それぞれ略矩形形状に形成されている請求項１に記載のレンジフード。
【請求項３】
前記主整流板と前記補助整流板とが、互いの側辺が平行であり且つ当該側辺が互いに鉛直方向にずれた姿勢で隣接配置されている請求項２に記載のレンジフード。
【発明の詳細な説明】
【技術分野】
【０００１】
本発明は、吸引ファンを内部に備えた排気ダクト部と、略矩形の開口を有する扁平形状に形成されて該開口を下方に向けて排気ダクト部に接続されたフード部と、フード部の開口に配置された整流板と、を有するレンジフードに関する。
【背景技術】
【０００２】
住宅のキッチン等に設置されたガスレンジ等の調理器具の上方には、調理により発生する水蒸気や煙、油煙等を捕集して強制的に屋外に排気するためのレンジフードが設置される。
【０００３】
このようなレンジフードとしては、吸引ファンを内部に備えた排気ダクト部と、略矩形の開口を有する扁平形状に形成されて該開口を下方に向けて排気ダクト部に接続されたフード部と、フード部の開口に配置された整流板と、を有する浅型のレンジフードが知られている。例えば特許文献１には、厚みが薄い扁平な矩形形状に形成されたフード部の開口に、その内周縁に対して間隔を空けて矩形形状の整流板を配置して、フード部の内周縁と整流板の外周縁との間の隙間から空気を吸引する構成とした浅型のレンジフードが記載されている。このような浅型のレンジフードでは、フード部の内周縁部分に設けられる隙間において高い流速で吸引を行うことができるので、フード部として深型のものを用いることなく、水蒸気や煙、油煙等を効率良く捕集することができる。
【先行技術文献】
【特許文献】
【０００４】
【特許文献１】特開２０１３−１９５０４９号公報
【発明の概要】
【発明が解決しようとする課題】
【０００５】
しかしながら、上記従来の浅型のレンジフードでは、水蒸気等の捕集効率を高めるためにフード部の内周縁と整流板の外周縁との隙間を狭くするようにしているので、フード部には水蒸気等を一時的に溜めておくことができる十分な空間が存在しておらず、そのため、一時的に吸引ファンの吸引能力を超えた大量の水蒸気等が発生すると、当該水蒸気等がフード部に捕集されずにフード部の外側に流出してしまう虞があるという問題点があった。
【０００６】
本発明は、このような課題に鑑みてなされたものであり、その目的は、一時的に吸引ファンの吸引能力を超えた大量の水蒸気や煙、油煙等が発生した状況においても、当該水蒸気等をフード部の外側に流出させることなく効果的に捕集することができる浅型のレンジフードを提供することにある。
【課題を解決するための手段】
【０００７】
本発明のレンジフードは、吸引ファンを内部に備えた排気ダクト部と、略矩形の開口を有する扁平形状に形成されて該開口を下方に向けて前記排気ダクト部に接続されたフード部と、前記フード部の開口に配置された整流板と、を有するレンジフードであって、前記整流板が、前記フード部の開口に該フード部の内周縁に対して間隔を空けて配置された主整流板と、前記主整流板よりも面積が小さく形成され、前記フード部の開口に前記主整流板に対して上側にずれるとともに該主整流板に対して上下に重複せずに配置された補助整流板と、を有することを特徴とする。
【０００８】
本発明のレンジフードは、上記構成において、前記主整流板と前記補助整流板とが、それぞれ略矩形形状に形成されているのが好ましい。
【０００９】
本発明のレンジフードは、上記構成において、前記主整流板と前記補助整流板とが、互いの側辺が平行であり且つ当該側辺が互いに鉛直方向にずれた姿勢で隣接配置されているのが好ましい。
【発明の効果】
【００１０】
本発明によれば、一時的に吸引ファンの吸引能力を超えた大量の水蒸気や煙、油煙等が発生した状況においても、当該水蒸気等をフード部の外側に流出させることなく効果的に捕集することができる浅型のレンジフードを提供することができる。
【図面の簡単な説明】
【００１１】
【図１】本発明の一実施の形態であるレンジフードの一例を示す正面図である。
【図２】図１に示すレンジフードの内部構造を概略で示す断面図である。
【図３】図２に示すレンジフードの底面図である。
【図４】図２に示すレンジフードの変形例における整流板の配置を模式的に示す（ａ）は断面図、（ｂ）は底面図である。
【図５】図２に示すレンジフードの他の変形例における整流板の配置を模式的に示す底面図である。
【図６】（ａ）〜（ｄ）は、それぞれ図２に示すレンジフードのさらに他の変形例における整流板の配置を模式的に示す底面図である。
【図７】（ａ）〜（ｄ）は、それぞれ図２に示すレンジフードのさらに他の変形例における整流板の配置を模式的に示す断面図である。
【発明を実施するための形態】
【００１２】
以下、図面を参照しつつ本発明のレンジフードをより具体的に例示説明する。
【００１３】
図１に示すように、本発明の一実施の形態であるレンジフード１は、例えば住宅のキッチンに設置されたガスレンジ等の調理器具２の上方に設置される。このレンジフード１は、調理器具２を用いた調理によって発生する水蒸気や煙、油煙等を捕集して、これを強制的に屋外に排気することができる。
【００１４】
レンジフード１は、例えばキッチンの壁に沿って設置することができるが、例えば調理器具２がオープンキッチン（アイランドキッチン）に設置されている場合には天井から吊り下げて設置するなど、その設置方法は種々変更可能である。
【００１５】
図２に示すように、このレンジフード１は浅型のレンジフードとなっており、排気ダクト部１０、フード部２０および整流板３０を備えている。
【００１６】
排気ダクト部１０は、例えばステンレス材等の薄鋼板により断面矩形の角筒状に形成されるダクト本体１１を有している。このダクト本体１１の下端側は吸引口となっており、上端側は図示しないダクトや排気孔等を介して住宅等の外部（屋外）に連通する排気口となっている。なお、ダクト本体１１の形状は種々変更可能である。
【００１７】
ダクト本体１１の内部には吸引ファン１２が配置されている。吸引ファン１２としては、例えばシロッコファンなど、電動モータ（不図示）を駆動源として作動する種々のタイプのものを用いることができる。この吸引ファン１２を作動させることにより、ダクト本体１１の吸引口から水蒸気や煙、油煙等を吸引して屋外に排気することができる。なお、詳細は図示しないが、ダクト本体１１の吸引口にフィルタを装着した構成とすることもできる。
【００１８】
フード部２０は、例えばステンレス材等の薄鋼板により、幅寸法や奥行き寸法に対して上下寸法が小さい（深さが浅い）扁平形状の箱型に形成されており、その開口２１を下方に向けてダクト本体１１の下端に接続されている。図示する場合では、フード部２０を、その幅方向中心がダクト本体１１の軸心に対して正面視で左側にずれるように当該ダクト本体１１に接続しているが、幅方向中心をダクト本体１１の軸心と一致させて接続することもでき、あるいは幅方向中心をダクト本体１１の軸心に対して正面視で右側にずらして接続することもできる。図示するように、フード部２０の内周縁には、その全周に亘って油滴の垂れ落ち防止のための内向きフランジ２２を設けることができるが、当該内向きフランジ２２をフード部２０の内周縁の一部にのみ設けた構成としたり、当該内向きフランジ２２を設けない構成としたりすることもできる。
【００１９】
図３に示すように、フード部２０は平面視で矩形の形状を有し、その開口２１も矩形に形成されている。なお、開口２１の形状は略矩形に形成されていれば、その内周縁に切欠き等が設けられていてもよい。フード部２０の幅寸法、奥行き寸法は、それぞれ調理器具２の幅寸法、奥行き寸法よりも大きく設定されている。これにより、図１に示すように、フード部２０は、調理器具２の上方に配置されて調理器具２の上方全体を覆うことができる。なお、フード部２０は調理器具２から上方に８０ｃｍ以上離れて配置される。このようなフード部２０をダクト本体１１の下端に設けることにより、ダクト本体１１が吸引可能な捕集領域を調理器具２の上方全体に広げて、調理器具２を用いた調理により発生した水蒸気や煙、油煙等を効果的に捕集することができる。
【００２０】
図３に示すように、整流板３０はフード部２０の開口２１に、当該開口２１の内周縁との間に隙間Ｓ１を空けて配置されている。図２に示すように、本発明のレンジフード１では、整流板３０は、主整流板３１と補助整流板３２とで構成され、これらを段違いで配置した構成とされている。
【００２１】
具体的に説明すると、主整流板３１は、例えばステンレス材等の薄鋼板により略矩形形状の薄い板状に形成されており、開口２１に当該開口２１に沿った水平姿勢で配置されている。主整流板３１は、その三辺のそれぞれにおいて、フード部２０つまり開口２１の内周縁に対して所定の間隔を空けて配置されて隙間Ｓ１を構成している。
【００２２】
なお、図示する場合では、主整流板３１を、開口２１に沿って、つまりその下面の高さをフード部２０の下端の高さと一致させて開口２１に配置するようにしているが、主整流板３１をフード部２０の下端よりも僅かに上側ないし下側にずらして配置した構成とすることもできる。
【００２３】
補助整流板３２は、主整流板３１と同様に、例えばステンレス材等の薄鋼板により略矩形形状の薄い板状に形成されているが、平面視で見た補助整流板３２の面積は主整流板３１の面積よりも小さくなっている。本実施の形態においては、図３から解るように、補助整流板３２は、その奥行き寸法が主整流板３１と同一に設定されるのに対して、その幅寸法が主整流板３１よりも狭く（図示する場合では１／３程度）されることにより、主整流板３１よりも面積が小さくされている。
【００２４】
主整流板３１とフード部２０の内周縁との間隔は、図２、図３中で左側（ダクト本体１１のずれ方向とは反対側）において他の部分よりも大きくされており、補助整流板３２はフード部２０の開口２１の当該大きな間隔の部分に当該開口２１に沿った水平姿勢で配置されている。なお、補助整流板３２とフード部２０の内周縁との間も、主整流板３１とフード部２０の内周縁との間と同等の間隔が空けられて隙間Ｓ１が設けられている。
【００２５】
詳細は図示しないが、主整流板３１および補助整流板３２は、それぞれ例えばブラケットやねじ等の締結部材、嵌め込み等の手段を用いてフード部２０に着脱自在に装着されている。
【００２６】
図２から解るように、補助整流板３２は、主整流板３１に対して上側にずれるとともに主整流板３１に対して上下に重複せずに配置されている。図示する場合では、主整流板３１と補助整流板３２は、それぞれ奥行き方向に延びる側辺３１ａ、３２ａが互いに平行となり、且つ、当該側辺３１ａ、３２ａが互いに鉛直方向にずれた姿勢となるように隣接配置されている。このような配置により、主整流板３１と補助整流板３２との間には上下方向に開いた隙間Ｓ２が設けられている。
【００２７】
隙間Ｓ２の高さ寸法は、例えば１ｃｍ〜１０ｃｍ程度に設定するのが好ましく、３ｃｍ〜４ｃｍに設定するのがより好ましい。隙間Ｓ２の高さ寸法をこのような寸法に設定することにより、吸引ファン１２の作動時に、当該隙間Ｓ２から吸引される空気等に適切な流速を生じさせることができる。
【００２８】
補助整流板３２はフード部２０の開口２１に沿って配置される主整流板３１に対して上方にずれて配置されているので、フード部２０の内部であって補助整流板３２の下側部分には補助整流板３２に対応した面積で下向きに開放される空間Ｒが形成されることになる。つまり、フード部２０の内部には、補助整流板３２が主整流板３１に対して上側にずらして配置されることにより、深さが深い部分が形成されている。フード部２０は、この空間Ｒに水蒸気や煙、油煙等を一時的に溜めておくことができる。
【００２９】
上記構成を有する本発明のレンジフード１では、吸引ファン１２を作動させることにより、調理器具２を用いた調理により発生する水蒸気や煙、油煙等をフード部２０で捕集するとともに当該フード部２０の開口２１に設けられた隙間Ｓ１、Ｓ２から吸引して屋外に排気することができる。このとき、主整流板３１や補助整流板３２の表面に油煙が当たることにより、当該油煙に含まれる油分を主整流板３１や補助整流板３２の表面に付着させて、掃除が困難なフード部２０の内部への油分の侵入を抑制することができる。
【００３０】
また、本発明のレンジフード１では、開口２１に、その内周縁に隙間Ｓ１を残して主整流板３１と補助整流板３２とを配置して当該開口２１の開口面積を狭めるようにしているので、吸引ファン１２を作動させた吸引動作時におけるフード部２０の内周縁つまり隙間Ｓ１における空気の流速を高めて、当該隙間Ｓ１から水蒸気や煙、油煙等を効率良く捕集することができる。
【００３１】
また、本発明のレンジフード１では、フード部２０の開口２１に配置する整流板３０を、主整流板３１と補助整流板３２とに分けるとともに主整流板３１に対して補助整流板３２を上側にずらすことにより、開口２１に隙間Ｓ１に加えて、主整流板３１と補助整流板３２との間に区画される隙間Ｓ２を設けるようにしている。これにより、開口２１の中央部分における流速の低下を抑制して当該中央部分に向けた水蒸気や煙、油煙等を効果的に捕集、排気することができる。したがって、開口２１の中央部分における流速の低下を抑制するために、吸引ファン１２として吸引能力を高めたものを用い、あるいは吸引ファン１２を連続運転し続けることを不要として、このレンジフード１の消費電量を低減させることができる。
【００３２】
主整流板３１と補助整流板３２との間の隙間Ｓ２の高さ寸法を２０ｍｍとした場合には、開口２１に１枚の整流板のみを設けた場合に比べて、１．３倍の捕集効果を得られることを実験から確認できた。
【００３３】
主整流板３１と補助整流板３２との間の隙間Ｓ２の高さ寸法は、主整流板３１に対する補助整流板３２の上側へのずらし量によって調整することができる。したがって、簡素な構成で隙間Ｓ２を所望の流速が得られる適切な間隔に設定することができる。
【００３４】
また、本発明のレンジフード１では、主整流板３１と補助整流板３２とを、それぞれ奥行き方向に延びる側辺３１ａ、３２ａが互いに平行となり、且つ、当該側辺３１ａ、３２ａが互いに鉛直方向にずれた姿勢となるように隣接配置することにより、隙間Ｓ２を上下方向に開いた構成とすることができる。これにより、当該隙間Ｓ２に向けた油煙等を直接隙間Ｓ２からフード部２０の内部に吸引させることなく補助整流板３２の表面に当ててから隙間Ｓ２に吸引させることができるので、当該油煙に含まれる油分を補助整流板３２の表面に付着させることができる。したがって、開口２１に隙間Ｓ１に加えて隙間Ｓ２を設けるようにしても、掃除が困難なフード部２０の内部に侵入する油分の量を抑制することができる。
【００３５】
さらに、本発明のレンジフード１では、主整流板３１に対して補助整流板３２を上側にずらすことにより、補助整流板３２の下側部分に下向きに開放される空間Ｒを設けるようにしている。これにより、一時的に吸引ファン１２の吸引能力を超えた大量の水蒸気や煙、油煙等が発生したとしても、当該大量の水蒸気等を空間Ｒに一時的に溜めておくことができる。また、このとき、空間Ｒに溜められた水蒸気等を、隙間Ｓ１からだけでなく、主整流板３１と補助整流板３２との間に形成された隙間Ｓ２から効率良く吸引することができる。したがって、一時的に発生した大量の水蒸気や煙、油煙等をフード部２０の外側に流出させることなく当該フード部２０で効果的に捕集して屋外に排気することができる。
【００３６】
さらに、本発明のレンジフード１では、主整流板３１および補助整流板３２を、それぞれフード部２０に着脱自在に装着するようにしたので、油分等が付着して汚れた場合であっても、これらをフード部２０から取り外して容易に清掃することができる。また、整流板３０を主整流板３１と補助整流板３２とに分けた構成とすることにより、整流板３０を１枚で構成する場合に比べて、主整流板３１および補助整流板３２のそれぞれを小型化することができるので、主整流板３１や補助整流板３２を台所のシンク内に納めて清掃することを可能として、その清掃作業をさらに容易にすることができる。
【００３７】
さらに、本発明のレンジフード１では、整流板３０を主整流板３１と補助整流板３２とに分けた構成とすることにより、整流板３０を１枚で構成する場合に比べて、主整流板３１および補助整流板３２のそれぞれを小型化することができる。これにより、主整流板３１や補助整流板３２のフード部２０に対する着脱作業を容易にすることができる。例えば、フード部２０が、その幅寸法がフード部２０と調理器具２との間の高さ寸法よりも大きいワイド型とされた場合であっても、整流板３０を主整流板３１と補助整流板３２とに分けた構成とすることにより、主整流板３１および補助整流板３２を調理器具２と干渉させることなく容易に着脱することができる。
【００３８】
さらに、本発明のレンジフード１では、主整流板３１と補助整流板３２とを互いに上下方向に重複させずに配置するようにしたので、主整流板３１や補助整流板３２をフード部２０から取り外すことなく、その表面全体を容易に拭き掃除することができる。
【００３９】
本発明のレンジフード１では、フード部２０を扁平形状に形成しつつ上記効果を得ることができるので、このレンジフード１をオープンキッチン等に好んで適用されるデザイン性の高い浅型のものとすることができる。
【００４０】
図４は図２に示すレンジフードの変形例における整流板の配置を模式的に示す（ａ）は断面図、（ｂ）は底面図であり、図５は図２に示すレンジフードの他の変形例における整流板の配置を模式的に示す底面図である。なお、図４、図５においては、レンジフード１のフード部２０と整流板３０の部分のみを模式的に示し、他の部分は省略する。また、図４、図５においては、前述した部材に対応する部材には同一の符号を付し、再度の詳細な説明は省略する。
【００４１】
図４に変形例として示すように、補助整流板３２は、主整流板３１に対して幅方向に間隔を空けて配置した構成とすることもできる。すなわち、補助整流板３２の側辺３２ａが主整流板３１の側辺３１ａに対して幅方向にずれた配置とすることもできる。このような構成とした場合であっても、主整流板３１と補助整流板３２との間の隙間Ｓ２は、主整流板３１に対する補助整流板３２の上側および幅方向へのずらし量によって所望の流速が得られる適切な間隔に設定することができる。
【００４２】
また、主整流板３１の色と補助整流板３２の色とを互いに相違させた構成とすることもできる。この場合、例えば、主整流板３１を赤色（図４中で網掛けを付して示す）に着色し、補助整流板３２を白色に着色するなど、種々の色の組合せとすることができる。この場合、主整流板３１と補助整流板３２の何れか一方のみを着色し、他方を着色せずにステンレス材等の素材のままの色とすることもできる。このように、主整流板３１の色と補助整流板３２の色とを互いに相違させた構成とすることにより、このレンジフード１のデザイン性ないし美観を高めることができる。
【００４３】
さらに、様々な色に着色された多種類の補助整流板３２を用意することにより、ユーザの好みに応じた様々な色の補助整流板３２を任意に選択可能な構成とすることもできる。この場合、主整流板３１および補助整流板３２として、互いに同一の色に着色されたものを用いることもできる。
【００４４】
図２に示す場合では、主整流板３１に対して幅方向の一方側に補助整流板３２を配置するようにしているが、図５に示すように、主整流板３１に対して奥行き方向に向けた前方側または後方側に補助整流板３２を配置した構成とすることもできる。この場合においても、補助整流板３２を主整流板３１に対して奥行き方向に間隔を空けずに配置することもできる。
【００４５】
図６（ａ）〜（ｄ）は、それぞれ図２に示すレンジフードのさらに他の変形例における整流板の配置を模式的に示す底面図であり、図７（ａ）〜（ｄ）は、それぞれ図２に示すレンジフードのさらに他の変形例における整流板の配置を模式的に示す断面図である。なお、図６、図７においては、レンジフード１のフード部２０と整流板３０の部分のみを模式的に示し、他の部分は省略する。また、前述した部材に対応する部材には同一の符号を付し、再度の詳細な説明は省略する。
【００４６】
図２に示す場合では、開口２１に主整流板３１に加えて１枚の補助整流板３２のみを配置するようにしているが、図６に変形例として示すように、開口２１に主整流板３１に加えて複数枚の補助整流板３２を配置した構成とすることもできる。このような構成の例として、図６（ａ）には、主整流板３１に対して幅方向の両側にそれぞれ補助整流板３２を配置した場合を示し、図６（ｂ）には、主整流板３１に対して奥行き方向の両側および幅方向の一方側にそれぞれ補助整流板３２を配置した場合を示し、図６（ｃ）には、主整流板３１に対して幅方向の両側および奥行き方向の一方側にそれぞれ補助整流板３２を配置した場合を示し、図６（ｄ）には、主整流板３１に対して奥行き方向の両側および幅方向の両側にそれぞれ補助整流板３２を配置した場合を示す。これらの場合においても、それぞれの補助整流板３２を主整流板３１に対して奥行き方向ないし幅方向に間隔を空けずに配置することもできる。図６（ａ）〜図６（ｄ）に示すように、主整流板３１の周りに複数の補助整流板３２を配置した構成とすることにより、調理器具２のガス口の配置等に合わせて、フード部２０の内部の所望の複数箇所に空間Ｒないし隙間Ｓ２を設けることができる。
【００４７】
また、図２に示す場合では、補助整流板３２を開口２１に当該開口に沿った水平姿勢で配置するようにしているが、図７（ａ）に示すように、必要に応じて、補助整流板３２を水平方向に対して傾斜させて配置した構成とすることもできる。この場合、補助整流板３２の傾斜角度や傾斜方向は任意に設定することができる。
【００４８】
さらに、開口２１に主整流板３１に加えて複数枚の補助整流板３２を配置した構成とする場合には、図７（ｂ）に示すように、それぞれの補助整流板３２の高さを互いに相違させた多段配置とすることもできる。この場合、図７（ｂ）に示すように、主整流板３１に対して同一側に設けられた複数の補助整流板３２を多段に配置するのみならず、図７（ｃ）に示すように、主整流板３１の両側にそれぞれ複数の補助整流板３２を設け、これらの補助整流板３２をそれぞれの側において多段に配置することもできる。図７（ｃ）に示す場合においては、主整流板３１の一方側に隣接する補助整流板３２と他方側に隣接する補助整流板３２の高さとを相違させることもできる。
【００４９】
さらに、図２に示す場合では、補助整流板３２をフード部２０の内周縁に対して間隔（隙間Ｓ１）を空けて配置するようにしているが、図７（ｄ）に示すように、補助整流板３２をフード部２０の内周面に当接させた構成とすることもできる。
【００５０】
本発明は前記実施の形態に記載の構成に限定されるものではなく、その要旨を逸脱しない範囲で種々変更可能であることはいうまでもない。
【００５１】
例えば、前記実施の形態においては、主整流板３１および補助整流板３２として略矩形形状に形成されたものを用いるようにしているが、これに限らず、例えばフード部２０の下面に照明等が設けられる場合には、当該部位を避けるために、切欠き等が設けられた他の形状に形成することもできる。
【００５２】
また、前記実施の形態においては、主整流板３１および補助整流板３２は、それぞれフード部２０に着脱自在に装着された構成とされているが、これらをフード部２０に固定した構成とすることもできる。
【符号の説明】
【００５３】
１    レンジフード
２    調理器具
１０    排気ダクト部
１１    ダクト本体
１２    吸引ファン
２０    フード部
２１    開口
２２    内向きフランジ
３０    整流板
３１    主整流板
３１ａ  側辺
３２    補助整流板
３２ａ  側辺
Ｓ１    隙間
Ｓ２    隙間
Ｒ    空間
【図１】
2017090006.tif 000003
【図２】
2017090006.tif 000004
【図３】
2017090006.tif 000005
【図４】
2017090006.tif 000006
【図５】
2017090006.tif 000007
【図６】
2017090006.tif 000008
【図７】
2017090006.tif 000009